(57)【特許請求の範囲】
【請求項１】
家屋の軒先に設置する換気鼻隠しであって、
軒先前面に固定される取付面（４）の下方を折曲して換気室（６）を形成するとともに、換気室（６）の後側を形成する、複数の通気孔（１０）を並設させた通気面（１１）の上端に屋内側へ折曲延設した延出面（１２）を形成し、この延出面（１２）の先端に上方へ折曲した当接片（１４）を形成してなる鼻隠し板（２）と、
軒下の壁面に固定される固定面（１７）の上端に屋外側へ下方傾斜した支持片（１８）を形成し、固定面（１７）の下部に、軒下の壁面に取り付けられる仕上げ板（１９）の屋外側面の上部を覆う被覆面（２０）を形成してなる鼻隠し押え（３）とを備え、
軒先前面の固定部材（Ａ）に鼻隠し板（２）の取付面（４）を取付固定するとともに当接片（１４）を屋根パネル（１３）の下端に当接させて前記換気室（６）と屋根裏空間（１５）とを延出面（１２）を介して連通させる一方、
軒下の壁面に鼻隠し押え（３）の固定面（１７）を取付固定して被覆面（２０）で仕上げ板（１９）の上部を覆うとともに支持片（１８）を前記延出面（１２）の下面に当接させることにより、鼻隠し板（２）後端の延出面（１２）と当接片（１４）とが屋根パネル（１３）と鼻隠し押え（３）に挟まれて固定されるように設けたことを特徴とする換気鼻隠し。
【発明の詳細な説明】
【０００１】
【発明の属する技術分野】
本発明は、屋根裏の換気が可能で、風等による振動を防止でき、かつ位置決めも容易な軒先の鼻隠しに関する。
【０００２】
【従来の技術】
従来の公知例としては、図３に示すように、軒先５０に鼻隠し５１を固定し、軒先５０下部にある壁材５２との間に通風隙間５３を形成してなるものである。通風隙間５３に面する鼻隠し５１の後面に通風孔５４を設けてあり、屋根裏空間５５内に、図３の矢印が示すとおり通風孔５４から換気室５６、通風路５７を通り空気が入り込み、屋根裏空間５５の換気ができるようにしたものである。
【０００３】
【発明が解決しようとする課題】
しかし、鼻隠し５１を固定する際、鼻隠し５１の上部５１ａは、水切り５８と係止させるために軒先５０の所定の位置に固定しなければならないが、所定の位置に固定するには、軒先の寸法を測り位置決めするなど手間がかかったり、また所定の位置よりずれて取付けてしまい、水切りが取り付かなかったりするなどの不具合が生じ、施工時間を増加させてしまうなどの問題を抱えていた。
また、鼻隠し５１を軒先５０に固定するにあたり、鼻隠し５１を前後上下に移動させることにより位置調整しており、そのため換気室５６と屋根裏空間５５を結ぶ通風路５７が狭くなり換気量が減少してしまうこともあった
【０００４】
本発明は、上記のような課題を鑑み、位置決めが容易で設置が簡便にでき、屋根裏空間への換気量を減少させず、かつ風等による鼻隠し自体の振動を防止できる鼻隠しを提供することにある。
【０００５】
【課題を解決するための手段】
本発明は、家屋の軒先に設置する換気鼻隠しであって、軒先前面に固定される取付面の下方を折曲して換気室を形成するとともに、換気室の後側を形成する、複数の通気孔を並設させた通気面の上端に屋内側へ折曲延設した延出面を形成し、この延出面の先端に上方へ折曲した当接片を形成してなる鼻隠し板と、軒下の壁面に固定される固定面の上端に屋外側へ下方傾斜した支持片を形成し、固定面の下部に、軒下の壁面に取り付けられる仕上げ板の屋外側面の上部を覆う被覆面を形成してなる鼻隠し押えとを備え、軒先前面の固定部材に鼻隠し板の取付面を取付固定するとともに当接片を屋根パネルの下端に当接させて前記換気室と屋根裏空間とを延出面を介して連通させる一方、軒下の壁面に鼻隠し押えの固定面を取付固定して被覆面で仕上げ板の上部を覆うとともに支持片を前記延出面の下面に当接させることにより、鼻隠し板後端の延出面と当接片とが屋根パネルと鼻隠し押えに挟まれて固定されるように設けたことを特徴とする。
このようにすることにより、固定する際、換気室の後側に設けた延出面により通風路としての隙間を確保できるため、屋根裏空間への換気量を減少させずに済む。
【０００６】
また、鼻隠し板の取付面を軒先の前面に押し当て、当接片を軒裏面に当たるように位置させて鼻隠し板を設置することにより、鼻隠し板を所定の位置に設定することができるため施工作業も容易に進めることができ、施工時間の短縮となる。
【０００７】
さらに、別体で形成した鼻隠し押えの支持片を鼻隠し板の延出面の下面に当接させ、延出面を下方から支えるよう鼻隠し押えを固定することで、鼻隠し板の延出面を軒裏面と鼻隠し押えの支持片により挟み込み、鼻隠し板の屋内側後端を固定することになり、風等による鼻隠し板の振動をより一層確実に防止できる。
【０００８】
上記構成において、鼻隠し押えの下端に仕上げ板（サイディング）を覆う被覆面を形成することができる。このようにすることにより、従来、仕上げ板の押え（スターター）を別部品として取付けていたが、鼻隠し押えと仕上げ板の押えを兼ねて、一部品とすることにより、部品点数を削減することができるため、施工現場における施工作業を削減し、工期の短縮を図ることができる。
【０００９】
【発明の実施の形態】
以下、本発明の一実施形態を図面に基づいて説明する。
図１は、本発明の一実施形態の換気鼻隠しの施工状態を示した断面図、図２は、図１の鼻隠し板及び鼻隠し押えの斜視図である。
【００１０】
本発明の換気鼻隠し１は、鼻隠し板２と鼻隠し押え３を具備してなる。
鼻隠し板２は、図１及び図２に示すように、長尺の塩化ビニール鋼板（以下、塩ビ鋼板と略す）を折り曲げ加工したものであり、軒先前面の固定部材Ａにねじ、釘等を用いて取付固定する面を取付面４とし、その上端から屋外方向に折曲させ、前方を下方傾斜させた水切り係止部５を有する。また、取付面４の下方には断面略長方形状の換気室６を設け、換気室６の上側を換気上面７、屋外側を換気前面８、下側を換気底面９とし、屋内側を、長円状の通気孔１０を複数個並設した通気面１１として折曲形成してある。
通気孔１０の形状は、長円状に限定するものではなく、長方形状や丸孔を複数個穿設したものでもよく、換気ができ害虫等の侵入を防げるものが好ましい。
【００１１】
換気室６の屋内側の通気面１１上端は、屋内側に向けて斜め上方へ折曲延設した延出面１２を形成し、さらに延出面１２の屋内側先端は、上方に向け折曲し、軒裏面すなわち屋根パネル１３の下端に先端を当接するように形成した当接片１４としている。
取付固定した際、延出面１２と当接片１４及び固定部材Ａの下面により囲まれた空間を換気室６と屋根裏空間１５を結ぶ通風路１６とし、通気孔１０から取り入れた空気は、通風路１６を通り屋根裏空間１５へと流れるようになっている。
【００１２】
鼻隠し押え３は、長尺状の塩ビ鋼板を折り曲げ加工したものであり、軒下の壁面に固定される面を固定面１７とし、その上端を屋外側へ下方傾斜させた支持片１８を折曲形成しており、支持片１８により鼻隠し板２の延出面１２を下方より支えるものとしている。また鼻隠し押え３の下方には、屋外側に折曲し、その先を前記軒下の壁面として取り付けられる仕上げ板（サイディング）１９上に載置して、その上部を覆うように垂下させた被覆面２０を形成している。なお、鼻隠し板２と鼻隠し押え３は、材料として塩ビ鋼板を使用しているが、これに限定するものではなく鋼板やアルミ板、トタン板等でも構わない。
【００１３】
上記換気鼻隠し１の施工例を以下に説明する。
鼻隠し板２を軒先前面に取付ける際、取付面４を固定部材Ａの屋外側前面に当接しながら、上方に持ち上げる。このとき、鼻隠し板２の屋内側に設けてある当接片１４の先端が屋根パネル１３の下端に当たる位置を鼻隠し板２の取付位置としている。このため軒先の寸法を測ることなく容易に位置を決定することができる。また、鼻隠し板２の屋外側に形成した水切り係止部５も所定の位置に設置されることとなるので、水切り２１を確実に係止することができ、位置がずれて係止できないなどの不具合が起きることも減少できる。
これらにより取付位置を容易に決定することができ、そのため施工時間の短縮を図ることができる。
【００１４】
鼻隠し板２を取付固定した後、鼻隠し押え３を、その上端に設けた支持片１８が鼻隠し板２の延出面１２の下面に当接するようにし、またその下端に設けた被覆面２０を仕上げ板１９の屋外側面上に載置するようにして固定面１７上より釘、ねじ等により壁パネル２２上に設けた不燃材２３に取付固定する。
これにより、鼻隠し板２の延出面１２は、下方から鼻隠し押え３の支持片１８により支持され、また延出面１２の屋内側後端に折曲形成した当接片１４の先端は、屋根パネル１３の下端と当接しているため、延出面１２と当接片１４は、屋根パネル１３と鼻隠し押え３により挟まれた状態となり、よって鼻隠し板２の後端は固定され、換気鼻隠し１が強風等により振動することを防止できる。
図の支持片１８は、鼻隠し押え３の上端を折曲して形成しているが、これに限定されるものではなく、折曲せずに下方から押し当てるようにしてもよい。
【００１５】
また、従来では軒先前端と壁面の位置関係により鼻隠しの取付位置が前後上下に移動することがあり、そのため通風路１６が狭くなり換気量が減少してしまうことがあった。本発明では、鼻隠し板２の軒先の位置が移動しても、延出面１２により、通風路１６を確保してから、鼻隠し押え３の位置を移動させることにより壁面との位置を調整できるようにしてある。さらに当接片１４を設けることにより、通風路１６が狭くなることをなくし、換気量が減少することを防いでいる。
【００１６】
鼻隠し押え３の下端の被覆面２０は、鼻隠し押え３の下方にある仕上げ板１９を屋外側より押える役目を果たしている。従来では、仕上げ板１９を押えるための仕上げ板押え（スターター）を別部品として作成し、固定していたが、鼻隠し押えと仕上げ板押えを1つの部品とすることにより、施工時間を短縮し、部品点数の削減を図ることができる。
また、仕上げ板１９の上端と不燃材２３の下端との隙間を鼻隠し押え３により覆うことができるので、この隙間より雨水等が浸入することを防ぐことができる。
【００１７】
【発明の効果】
本発明は、鼻隠し板の屋内側の後端に設けた当接片の先端を屋根パネルの下端に当接させることにより、位置決めを容易にして設置を簡便にし、強風等により振動しないようにでき、また換気室の後側に設けた延出面により、通風路を確実に確保し、換気量の減少を防ぐことができ、さらに鼻隠し押えを別体で形成することにより、鼻隠し板の後端を鼻隠し押えで下方より支えて、屋根パネルとの間に鼻隠し板の後端を挟みこみ、強風等での換気鼻隠しの振動を一層確実に防止でき、鼻隠し押え下部の被覆面を設けることにより、仕上げ板の上端部納めを兼ねることができる。
【図面の簡単な説明】
【図１】  本発明の一実施形態の換気鼻隠しを軒先に施工した状態の断面図である。
【図２】  図１の鼻隠し板と鼻隠し押えの斜視図である。
【図３】  従来公知の一例の鼻隠しの断面図である。
【符号の説明】
１  換気鼻隠し
２  鼻隠し板
３  鼻隠し押え
４  取付面
５  水切り係止部
６  換気室
７  換気上面
８  換気前面
９  換気底面
１０  通気孔
１１  通気面
１２  延出面
１３  屋根パネル
１４  当接片
１５  屋根裏空間
１６  通風路
１７  固定面
１８  支持片
１９  仕上げ板
２０  被覆面
２１  水切り
２２  壁パネル
２３  不燃材
５０  軒先
５１  鼻隠し
５１ａ  上部
５２  壁材
５３  通風隙間
５４  通風孔
５５  屋根裏空間
５６  換気室
５７  通風路
５８  水切り
【図１】
0003923786.tif 000002
【図２】
0003923786.tif 000003
【図３】
0003923786.tif 000004